(57)【要約】【課題】配信される動画の新たな楽しみ方をユーザに提供する。【解決手段】動画データを配信する動画配信サーバと動画に対するコメントを配信するコメント配信サーバとに接続される端末装置３０であって、動画データを表示する表示部３８０と、ユーザの指示に基づいて動画データに編集処理を施す動画編集部３７０と、動画編集部３７０による編集がなされていない動画データまたは動画編集部３７０による編集がなされている動画データを動画配信装置に送信する通信部３１０と、動画編集部３７０による編集がなされていない動画データまたは動画編集部３７０による編集がなされている動画データを基に静止画データを生成する画像生成部３９０とを備える。【選択図】図４
2014212487.tif 000002
【特許請求の範囲】
【請求項１】
動画データを表示する表示部と、
ユーザの指示に基づいて前記動画データに編集処理を施す編集部と、
前記編集部による編集がなされていない動画データまたは前記編集部による編集がなされている動画データを動画配信装置に送信する第１通信部と、
前記編集部による編集がなされていない動画データまたは前記編集部による編集がなされている動画データを基に静止画データを生成する生成部とを備えることを特徴とする端末装置。
【請求項２】
コメントの入力を受け付ける入力部と、
入力されたコメントをコメント配信装置に送信する第２通信部とを更に備え、
前記表示部は、前記コメント配信装置から受信したコメントを、前記編集部による編集がなされていない動画データまたは前記編集部による編集がなされている動画データに重ね合わせて表示することを特徴とする請求項１に記載の端末装置。
【請求項３】
前記編集部は、前記コメント配信装置から受信したコメントの内容に応じて、編集処理の内容を変化させることを特徴とする請求項２に記載の端末装置。
【請求項４】
前記生成部は、前記動画データを基に前記静止画データを生成するタイミングを、前記コメント配信装置から受信したコメントの内容に応じて決定することを特徴とする請求項２に記載の端末装置。
【請求項５】
被写体を撮像して動画データを出力する撮像部を更に備えることを特徴とする請求項１乃至４のいずれか１項に記載の端末装置。
【請求項６】
動画データを配信する動画配信装置と、動画に対するコメントを配信するコメント配信装置と、端末装置と、を備えるコメント配信システムであって、
前記動画データを表示する表示部と、
ユーザの指示に基づいて前記動画データに編集処理を施す編集部と、
前記編集部による編集がなされていない動画データまたは前記編集部による編集がなされている動画データを前記動画配信装置に送信する第１通信部と、
前記編集部による編集がなされていない動画データまたは前記編集部による編集がなされている動画データを基に静止画データを生成する生成部とを備えることを特徴とするコメント配信システム。
【請求項７】
被写体を撮像して動画データを出力する撮像部を更に備えることを特徴とする請求項６に記載のコメント配信システム。
【請求項８】
動画データを配信する動画配信サーバと動画に対するコメントを配信するコメント配信サーバとに接続される端末装置としてのコンピュータを、
前記動画データを表示する表示部と、
ユーザの指示に基づいて前記動画データに編集処理を施す編集部と、
前記編集部による編集がなされていない動画データまたは前記編集部による編集がなされている動画データを前記動画配信装置に送信する第１通信部と、
前記編集部による編集がなされていない動画データまたは前記編集部による編集がなされている動画データを基に静止画データを生成する生成部として機能させるためのプログラム。
【発明の詳細な説明】
【技術分野】
【０００１】
本発明は、動画を再生し、その動画に関連するコメントを表示する端末装置、コメント配信システム、及びプログラムに関する。
【背景技術】
【０００２】
従来、放送されたテレビ番組等の動画に対してユーザが発言したコメントを、その動画と併せて表示するシステムがある。例えば、特許文献１の技術では、テレビ番組等に関する掲示板において、視聴者が端末装置を用いて、テレビ番組のあるシーンに対するコメントを書き込む。これにより、ユーザ間において同じテレビ番組の視聴体験を共有して、さまざまなコメントを発言することができる。このコメントの発言は、ユーザであれば誰でも自由に行うことができる。
【先行技術文献】
【特許文献】
【０００３】
【特許文献１】特開２００２−２９０９４９号公報
【発明の概要】
【発明が解決しようとする課題】
【０００４】
しかしながら、上述した従来技術においては、ユーザは、動画と同時に表示される掲示板に投稿することによって動画にコメントを付すことはできるが、それ以外の手段で、配信される動画を編集することはできなかった。近時、ユーザが配信される動画をより積極的に楽しむ態様の開発が望まれている。
【０００５】
本発明は、このような事情に鑑みてなされたもので、その目的は、配信される動画の新たな楽しみ方をユーザに提供する端末装置、コメント配信システム、及びプログラムを提供することにある。
【課題を解決するための手段】
【０００６】
本発明の一態様は、端末装置において、動画データを表示する表示部と、ユーザの指示に基づいて前記動画データに編集処理を施す編集部と、前記編集部による編集がなされていない動画データまたは前記編集部による編集がなされている動画データを動画配信装置に送信する第１通信部と、前記編集部による編集がなされていない動画データまたは前記編集部による編集がなされている動画データを基に静止画データを生成する生成部とを備える。
【０００７】
また、本発明の一態様においては、コメントの入力を受け付ける入力部と、入力されたコメントをコメント配信装置に送信する第２通信部とを更に備え、前記表示部は、前記コメント配信装置から受信したコメントを、前記編集部による編集がなされていない動画データまたは前記編集部による編集がなされている動画データに重ね合わせて表示する。
【０００８】
また、本発明の一態様においては、前記編集部は、前記コメント配信装置から受信したコメントの内容に応じて、編集処理の内容を変化させる。
【０００９】
また、本発明の一態様においては、前記生成部は、前記動画データを基に前記静止画データを生成するタイミングを、前記コメント配信装置から受信したコメントの内容に応じて決定する。
【００１０】
また、本発明の一態様においては、被写体を撮像して動画データを出力する撮像部を更に備える。
【００１１】
また、本発明の一態様は、コメント配信システムにおいて、動画データを配信する動画配信装置と、動画に対するコメントを配信するコメント配信装置と、端末装置と、を備えるコメント配信システムであって、前記動画データを表示する表示部と、ユーザの指示に基づいて前記動画データに編集処理を施す編集部と、前記編集部による編集がなされていない動画データまたは前記編集部による編集がなされている動画データを前記動画配信装置に送信する第１通信部と、前記編集部による編集がなされていない動画データまたは前記編集部による編集がなされている動画データを基に静止画データを生成する生成部とを備える。
【００１２】
また、本発明の一態様においては、被写体を撮像して動画データを出力する撮像部を更に備える。
【００１３】
また、本発明の一態様は、動画データを配信する動画配信サーバと動画に対するコメントを配信するコメント配信サーバとに接続される端末装置としてのコンピュータを、前記動画データを表示する表示部と、ユーザの指示に基づいて前記動画データに編集処理を施す編集部と、前記編集部による編集がなされていない動画データまたは前記編集部による編集がなされている動画データを前記動画配信装置に送信する第１通信部と、前記編集部による編集がなされていない動画データまたは前記編集部による編集がなされている動画データを基に静止画データを生成する生成部として機能させるためのプログラムである。
【発明の効果】
【００１４】
本発明によれば、配信される動画の新たな楽しみ方をユーザに提供することができる。
【図面の簡単な説明】
【００１５】
【図１】本発明の一実施形態に係るコメント配信システムの構成を示す概略ブロック図である。
【図２】コメント配信サーバの構成を表す概略ブロック図である。
【図３】コメント情報記憶部に記憶されるデータの一例を示す図である。
【図４】端末装置の構成を表す概略ブロック図である。
【図５】端末装置の動作を表すフローチャートである。
【図６】編集画面の一例を示す図である。
【図７】ポップアップ画面が表示された編集画面の一例を示す図である。
【図８】編集画面の更なる例を示す図である。
【図９】編集対象画像にスタンプ画像を付加した状態の編集画面の一例を示す図である。
【図１０】「撮影処理」を開始するときに表示される画面の一例を示す図である。
【図１１】カウントダウン処理において表示される画面の一例を示す図である。
【図１２】「撮影処理」が終わったときに表示される画面の一例を示す図である。
【発明を実施するための形態】
【００１６】
（１．コメント配信システム）
以下、本発明の一実施形態によるコメント配信システムについて図面を参照して説明する。図１は、本発明の一実施形態によるコメント配信システム１の構成を示す概略ブロック図である。コメント配信システム１では、動画配信サーバ１０と、コメント配信サーバ２０と、複数の端末装置３０とが、ネットワーク４０を介して接続されている。
【００１７】
図１において、動画配信サーバ１０は、端末装置３０からの配信要求に応じて、動画データを要求元の端末装置３０へ配信する。動画配信サーバ１０による配信は、例えば、ストリーミング配信によって行われる。動画配信サーバ１０は、一の端末装置３０から送信された動画を他の端末装置３０に配信する。コメント配信サーバ２０は、動画配信サーバ１０が配信する動画に対するコメントを端末装置３０から受信し、その動画を閲覧する各端末装置３０に配信する。端末装置３０は、ネットワーク４０を介して動画配信サーバ１０とコメント配信サーバ２０とに接続し、動画配信サーバ１０から配信される動画を受信して表示するとともに、コメント配信サーバ２０から配信されるコメントを受信して動画と同時に表示する。端末装置３０は、ネットワーク４０を介して各種サーバ等と通信可能な機能を有する端末装置である。端末装置３０には、例えば、コンピュータ（ＰＣ）、モバイル端末（携帯電話、スマートフォン、情報端末装置等）、ゲーム機、テレビジョン装置等を適用することができる。
【００１８】
図２は、コメント配信サーバ２０の構成を示すブロック図である。図２において、コメント情報記憶部２１は、コメントの内容とコメント付与時間とを対応づけて、コメント情報として記憶する。コメント付与時間とは、コメントが付与された時点における、動画の再生開始時点（動画の冒頭）を基準とした動画再生時間のことである。
【００１９】
図３は、コメント情報記憶部２１に記憶されるデータの一例である。コメント情報記憶部２１には、動画配信サーバ１０から配信される動画に対するコメントを、スレッド毎にまとめたコメント情報が複数記憶されている。各コメント情報は、動画を識別する動画ＩＤとスレッドを識別するスレッドＩＤとの情報を含む。コメント情報記憶部２１は、コメント情報に、複数のコメントデータを含めて記憶することが可能である。コメントデータは、コメント付与時間とコメント内容の他に、そのコメントを付与（発言）した実際の時刻を示すコメント情報投稿実時間（実時間情報）と、コメントを付与したユーザを識別する情報であるユーザ名、コメントを動画上にどのように表示させるのかを指定する情報であるコメント表示方法が対応付けられたデータである。コメント配信サーバ２０が、ある動画ＩＤの動画を再生しており、かつ、あるスレッドＩＤのスレッドのコメントを閲覧している端末装置３０からコメントデータを受信した場合、受信したコメントデータが、コメントデータに含まれる動画ＩＤ、スレッドＩＤに対応するコメント情報に追加保存される。ここでは、スレッドＩＤが動画ＩＤに対応づけて記憶されていることによって、同じ動画であっても、異なるスレッドを複数設けることができる。
【００２０】
コメント情報配信部２２は、コメント情報記憶部２１に記憶されたコメント情報を読み出して、再生している動画の動画ＩＤとスレッドＩＤとが同一であるコメント情報を再生中の端末装置３０に配信する。コメント情報更新管理部２３は、通信部２４を介して端末装置３０から受信したコメントデータを、対応する動画ＩＤ及びスレッドＩＤに従って、コメント情報記憶部２１に追加して記憶させる。
通信部２４は、端末装置３０と通信する。通信部２４は、端末装置３０から送信されたコメント情報をコメント情報更新管理部２３に出力し、コメント情報記憶部２１に追加して記憶させる。通信部２４は、コメント情報配信部２２にコメント情報の配信指示を出力する。
【００２１】
（２．端末装置）
図４は、端末装置３０の構成を表す概略ブロック図である。端末装置３０は、制御部３００と、通信部３１０と、記憶部３２０と、音声出力部３３０と、撮像部３４０と、動画生成部３５０と、入力部３６０と、動画編集部３７０と、表示部３８０と、画像生成部３９０と、プリンタＩＦ（インタフェース）４００とを含む。端末装置３０はプリンタ３５と接続されている。
制御部３００は、端末装置３０全般の動作を制御する。通信部３１０は、ネットワーク４０を介して、動画配信サーバ１０やコメント配信サーバ２０と通信する。端末装置３０は、通信部３１０を介して、動画配信サーバ１０によって配信された動画を受信する。通信部３１０は、動画編集部３７０による編集がなされていない動画データまたは動画編集部３７０による編集がなされている動画データを動画配信サーバ１０に送信する。端末装置３０は、入力部３６０を介して、ユーザから動画に対するコメント情報の入力を受け付ける。端末装置３０は、通信部３１０を介して、ユーザから入力を受け付けた動画に対するコメント情報をコメント配信サーバ２０に送信する。コメント配信サーバ２０は、複数の端末装置３０から通知されたコメント情報を纏めて、動画を閲覧する各端末装置３０に配信する。記憶部３２０は、動画データやコメント情報を含む各種データを記憶する。音声出力部３３０は、制御部３００の制御に基づいて音声を出力する。
【００２２】
撮像部３４０は、動画を撮像するカメラである。撮像部３４０は、例えば端末装置３０のユーザを撮像する。動画生成部３５０は、撮像部３４０にて撮像された動画をデータの形式として出力する。動画のデータ形式としては、ＭＰＥＧ(Moving Picture Experts Group)，ＡＶＩ(Audio Video Interleave) ，ＡＳＦ(Advanced Systems Format)等、任意のデータ形式を採用することができる。また、動画のデータ形式としては、ＲＴＭＰ(Real Time Messaging Protocol)，ＲＴＳＰ（Real Time Streaming Protocol），ＨＴＴＰ(Hypertext Transfer Protocol)等の動画配信に適したプロトコルを採用してもよい。入力部３６０は、端末装置３０のユーザからの指示入力をキーボードやマウスによって受け付ける。動画編集部３７０は、ユーザの指示に基づいて、動画生成部３５０から出力された動画データに編集処理を施す。表示部３８０は、動画生成部３５０から出力された未編集の動画データまたは動画編集部３７０にて編集された動画データを画像表示する。画像生成部３９０は、動画編集部３７０による編集がなされていない動画データまたは動画編集部３７０による編集がなされている動画データを基に静止画データを生成する。静止画データのデータ形式としては、ＪＰＥＧ(Joint Photographic Experts Group)，ＰＮＧ(Portable Network Graphics) ，ＧＩＦ (Graphics Interchange Format)等、任意のデータ形式を採用することができる。プリンタＩＦ４００は、画像生成部３９０にて生成された静止画データを外部のプリンタ３５に出力する。
【００２３】
（３．端末装置における処理の流れ）
図５は、端末装置３０における処理の流れについて示すフローチャートである。図５を参照しながら、端末装置３０の制御部３００による各処理について説明する。
まず、制御部３００は、撮像部３４０によって、ユーザを動画で撮像する（Ｓ５０１）。撮像部３４０によって撮像された動画は、動画配信サーバ１０を経由して他の端末装置３０に配信されるとともに、表示部３８０に表示される。ユーザは、表示部３８０に表示された動画を確認しながら、自分の立ち位置やポーズを整える。次に、制御部３００は、動画編集部３７０の働きにより、表示部３８０に動画編集処理用の画面を表示する。また、制御部３００は、入力部３６０からユーザの指示を受け付けてＳ５０１にて撮像を開始した動画を編集する（Ｓ５０２）。次に、制御部３００は、入力された全てのコメントを表示部３８０に表示する（Ｓ５０３）。表示される全てのコメントは、端末装置３０の入力部３６０にて入力されたコメントの他、いずれかの端末装置３０にて入力されてコメント配信サーバ２０を経由することにより配信されたコメントを含む。制御部３００は、コメント配信サーバ２０から配信されたコメントを動画編集部３７０による編集がなされていない動画データまたは動画編集部３７０による編集がなされている動画データに重ね合わせて表示する。次に、制御部３００は、動画編集を終了するか否かを判定する（Ｓ５０４）。具体的には、制御部３００は、ユーザが入力部３６０から編集終了指示を入力した場合や、所定の制限時間を経過した場合に、動画編集を終了するものと判定する。Ｓ５０４における判定の結果、動画編集を継続すべきであれば、Ｓ５０１に戻って各処理を繰り返す。
【００２４】
Ｓ５０４における判定の結果、動画編集を終了すべきであれば、制御部３００は、画像生成部３９０の働きにより、動画編集部３７０による編集がなされていない動画データまたは動画編集部３７０による編集がなされている動画データを基に静止画データを生成する（Ｓ５０５）。最後に、制御部３００は、プリンタＩＦ４００を介して、静止画データを外部のプリンタ３５に出力し、静止画を印刷させる（Ｓ５０６）。
以上の処理によって、端末装置３０における一連の動作が終了する。
なお、上記の説明においては、Ｓ５０１にて撮像したユーザの動画を編集対象としたが、Ｓ５０２にて編集対象となる動画は、ユーザの撮像動画に限られるわけではない。動画配信サーバ１０から配信される動画など任意の動画をＳ５０２の編集対象とすることができる。
【００２５】
（４．編集処理の詳細）
次に、動画編集部３７０の実行する編集処理の詳細について説明する。動画編集部３７０は、表示部３８０上にて変化する動画に対して編集処理を施す。
図６は、表示部３８０に表示される編集画面の一例を示している。図６の画面例では、画面の左領域に、編集対象となる動画、つまり撮像処理（図５のＳ５０１参照）によって生成された動画が、編集対象画像として表示されている。この画面例においては、各端末装置３０にて入力されたコメントが、編集対象画像に重ね合わせた状態で表示されている。コメントは、編集対象画像の右領域から左領域に流れるようにスクロールして表示される。
編集対象画像に対して、ユーザは、入力部３６０を通じた入力を用いて、各種の編集処理を施す。図６において、編集対象画像の右側には、編集処理を行うためのツール類の選択領域が表示されている。選択領域において、ユーザが選択し得る項目は、入力の書き味を規定する仮想ペンの種類やその太さや色である。色の選択については候補色を表示したパレットが示されている。
【００２６】
図７は、仮想ペンの種類を選択するためのポップアップ画面が表示された状態の編集画面の一例を示している。図７においては、仮想ペンの選択肢として「えんぴつ」「クレヨン」「シャドー」「マーカー」「黒縁」「ネオン」の６種類が示されている。ユーザは、入力部３６０を通じた入力によって所望の仮想ペンの種類を選択する。ユーザは、仮想ペンの種類を選択した後は、その太さや色を選択する。この色や太さについては、デフォルトを定めておき、例えば、色のデフォルトは黒、太さのデフォルトは細い方から２番目の太さ、と決められていてもよい。
【００２７】
編集画面の右上領域（図６参照）には、落書きを行う編集モードを選択する「ペイント」タブと、スタンプ画像を付加する編集モードを選択する「スタンプ」タブとが表示されている。各タブを選択することにより、二つの編集モードを互いに切り替えることができる。
「ペイント」タブの選択中は、落書きを行う編集モードであり、入力部３６０を通じた入力によって編集対象画像上に自由に描画することができる。
図８は、スタンプ画像を付加する編集モードにおける編集画面の一例を示している。上述の「スタンプ」タブを選択すると、図８に示すようなスタンプ選択の画面が表示される。この画面の右領域には、編集に使用可能なスタンプ画像が複数種類表示される。ユーザは、所望のスタンプ画像を入力部３６０を通じた入力によって選択することにより、編集対象画像にスタンプ画像を付加することができる。なお、スタンプ画像の選択肢を表示する際には、前回選択したスタンプ画像が画面の上側に位置するように表示してもよい。
【００２８】
図９は、編集対象画像にスタンプ画像を付加した状態の編集画面の一例を示す。図９においては、編集対象画像の右領域に２個のスタンプ画像が付加されている。ユーザがスタンプ画像を付加する際には、入力部３６０を通じた入力によってスタンプ画像を回転、伸縮できるようにしてもよい。また、付加するスタンプ画像は静止画に限られず、アニメーション画像としてもよい。
【００２９】
図９に示す画面の右下隅には、編集処理を終了し、後述の「撮影」処理を開始するための「撮影する／らくがき終了」アイコンが表示されている。ユーザは気に入った編集対象画像ができあがった時点で、入力部３６０を通じた入力によって「撮影する／らくがき終了」アイコンをクリックする。ユーザが「撮影する／らくがき終了」アイコンをクリックすると、編集処理は終了する。
【００３０】
編集処理中、ユーザは、表示画面の右上領域（図９参照）に表示された「コメント」タブを選択することにより、編集対象画像上に表示されるコメントを入力部３６０から入力することができるようになる。
また、他の端末装置３０のユーザは、動画配信サーバ１０やコメント配信サーバ２０を介して、編集処理中の動画やコメントを共有する。他の端末装置３０のユーザは、コメントを入力することにより、編集対象画像を装飾することが可能となる。
【００３１】
動画編集部３７０は、コメント配信サーバ２０から受信したコメントの内容に応じて、編集処理の内容を変化させてもよい。
例えば、編集処理の様子を視聴していた他の端末装置３０のユーザから「私も写りたい」というコメントが入力されると、動画編集部３７０は、そのユーザを表すアイコンやアバターの画像を編集対象画像に付加する。この場合、動画編集部３７０は、複数のアイコンやアバターの画像を、各端末装置３０のユーザに対応付けた形で予め登録しておくことが好ましい。なお、編集対象画像に付加するのは、アイコンやアバターの画像ではなく、上記のコメントを入力したユーザの写真であってもよい。
このように構成すれば、遠隔に位置することの多い、他の端末装置３０のユーザも、編集対象画像に所定の画像を付加して、編集処理やその後の「撮影」処理に参加することが可能となる。
【００３２】
（５．編集処理後の処理の詳細）
次に、編集処理後の処理の詳細について説明する。
上述の「撮影する／らくがき終了」アイコン（図９参照）をユーザがクリックすると、編集済画像の動画データを基に静止画データを生成するデータ生成処理が開始される。このデータ生成処理を、以下「撮影処理」と称する。
図１０は、「撮影処理」を開始するときに表示部３８０上に表示される画面の一例を示している。図１０の画面には「この画像で撮影します。」との案内メッセージが表示されている。また、図１０の画面は、選択肢として「コメントありで撮影」「コメントなしで撮影」「らくがきに戻る」「撮影しないで終了」を表示し、そのいずれかを入力部３６０を通じた入力によってユーザに選択させる構成となっている。
図１０の画面に対して、ユーザが「らくがきに戻る」を選択した場合、制御部３００は編集処理に戻る。図１０の画面に対して、ユーザが「撮影しないで終了」を選択した場合、制御部３００は全ての処理を終了する。図１０の画面に対して、ユーザが「コメントありで撮影」を選択した場合、制御部３００は、編集対象画像上にコメントを表示したままの状態でカウントダウン処理に進む。図１０の画面に対して、ユーザが「コメントなしで撮影」を選択した場合、制御部３００は、編集対象画像上からコメントを消去した状態でカウントダウン処理に進む。
【００３３】
図１１は、カウントダウン処理において、表示部３８０上に表示される画面の一例を示している。このカウントダウン処理では、画面の右領域に残り秒数を表示しながら「撮影処理」まで５秒間のカウントダウンを実行する。そして、５秒間のカウントダウンが終了する瞬間に画面を白く閃光させることにより「撮影処理」の瞬間をユーザに伝える。画像生成部３９０が、動画編集部３７０による編集がなされていない動画データまたは動画編集部３７０による編集がなされている動画データを基に静止画データを生成する際のデータ生成の手法やアルゴリズムは、特に限定されない。例えば、画像生成部３９０は、動画データを切り出してデータ変換することにより静止画データを得てもよいし、編集済画像の動画データを画面キャプチャーすることにより静止画データを得てもよい。
【００３４】
図１２は、「撮影処理」が終わったときに、表示部３８０上に表示される画面の一例である。図１２においては、「撮影しました！」というメッセージの表示によって、ユーザに「撮影処理」の終了を伝えている。図１２では、生成した静止画データの内容をユーザに確認させるために、「撮影処理」の終了後も静止画を表示させた状態を保っている。
【００３５】
上記の説明では、編集処理の終了後、５秒間のカウントダウンを経て、編集対象画像の動画データを基に静止画データを生成するデータ生成処理を実行する態様を示した。しかし、画像生成部３９０は、上記のデータ生成処理を実行するタイミングを、他の手法によって決定してもよい。
例えば、画像生成部３９０は、編集対象画像の動画データを基に静止画データを生成するタイミングを、コメント配信サーバ２０から受信したコメントの内容に応じて決定してもよい。
例えば、画像生成部３９０は、全てのコメントに含まれる特定の語（例えば「撮影」）の出現回数を数える。そして、画像生成部３９０は、特定の語の出現回数が所定回数（例えば１００回）に達した時点で、ユーザの指示を待たず自動的に編集処理中の画像や編集済の画像の動画データを基に静止画データを生成する。このとき、画面表示の案内によって「撮影処理」が行われたことをユーザに通知してもよい。
【００３６】
最後に、端末装置３０は、プリンタＩＦ４００を介して、生成した静止画データを外部のプリンタ３５に出力し、静止画を印刷させる。プリンタ３５において印刷される媒体は、普通紙やコピー用紙の他、シール台紙等任意の媒体を用いることができる。静止画データは、データ生成処理を実行した端末装置３０に限られず、他の端末装置３０において共有されて印刷可能とされてもよい。
【００３７】
上記の各処理の様子については、動画配信サーバ１０やコメント配信サーバ２０から配信される動画やコメントによって、他の端末装置３０のユーザに視聴させてもよい。例えば、上記のカウントダウン処理時の画面を他の端末装置３０においても表示させたり、「撮影処理」の瞬間に他の端末装置３０における表示部３８０の画面を白く閃光させたりしてもよい。
【００３８】
コメント配信システム１によれば、編集処理中または編集処理前の動画を動画配信サーバ１０に送信し、編集処理中または編集処理前の動画を他の端末装置３０と共有することにより、複数のユーザ間にて共に動画を編集する楽しみを提供することができる。また、コメント配信システム１によれば、各ユーザのコメントをコメント配信サーバ２０に送信し、各ユーザのコメントを他の端末装置３０と共有することにより、複数のユーザ間にて動画に対するコメントを共有する楽しみを提供することができる。前述のように、コメント配信サーバ２０によって配信され、複数のユーザ間にて共有されたコメントの内容を動画の編集処理形態に反映させることも可能である。
【００３９】
本明細書において、端末装置３０は、単体の装置として、制御部３００と、通信部３１０と、記憶部３２０と、音声出力部３３０と、撮像部３４０と、動画生成部３５０と、入力部３６０と、動画編集部３７０と、表示部３８０と、画像生成部３９０と、プリンタＩＦ４００とを含む構成としたが、本発明のコメント配信システムにおいて、上記各機能部は、複数の装置にわたって実装されてもよい。複数の装置にわたって実装される場合には、各装置が連携することによって１台の情報処理装置として実装された端末装置となる。
また、上記の説明においては、入力部３６０と表示部３８０とを別部材としたが、タッチパネル及びタッチペンの採用により、入力部３６０と表示部３８０とを共通の部材としてもよい。
【００４０】
また、以上説明した実施形態において、図４における端末装置３０の機能を実現するためのプログラムをコンピュータ読み取り可能な記録媒体に記録して、この記録媒体に記録されたプログラムをコンピュータシステムに読み込ませ、実行することにより画像の編集処理を行ってもよい。また、端末装置３０の機能を実現するためのプログラムを、既存の端末装置にプラグインとして適用するようにしてもよい。なお、ここでいう「コンピュータシステム」とは、ＯＳや周辺機器等のハードウェアを含むものとする。
【００４１】
また、「コンピュータシステム」は、ＷＷＷ(World Wide Web)システムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、サーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【００４２】
以上、この発明の実施形態について図面を参照して詳述してきたが、具体的な構成はこの実施形態に限られるものではなく、この発明の要旨を逸脱しない範囲の設計等も含まれる。
【符号の説明】
【００４３】
１０…動画配信サーバ，  ２０…コメント配信サーバ，  ３０…端末装置，  ３５…プリンタ，  ４０…ネットワーク，  ３００…制御部，  ３１０…通信部，  ３２０…記憶部，  ３３０…音声出力部，  ３４０…撮像部，  ３５０…動画生成部，  ３６０…入力部，  ３７０…動画編集部，  ３８０…表示部，  ３９０…画像生成部，  ４００…プリンタＩＦ
【図１】
2014212487.tif 000003
【図２】
2014212487.tif 000004
【図３】
2014212487.tif 000005
【図４】
2014212487.tif 000006
【図５】
2014212487.tif 000007
【図６】
2014212487.tif 000008
【図７】
2014212487.tif 000009
【図８】
2014212487.tif 000010
【図９】
2014212487.tif 000011
【図１０】
2014212487.tif 000012
【図１１】
2014212487.tif 000013
【図１２】
2014212487.tif 000014